(57)【要約】【課題】処理遅延がなく、且つ低消費電力にてスライドショー再生を行い得る画像表示装置および画像表示装置のスライドショー再生方法を提供する。【解決手段】スライドショー再生するための１以上の静止画データを入力する画像データ入力部５０と、静止画データに所定の画像処理を施してスライドショー再生する通常再生処理部６１と、静止画データの入力時のみ駆動する間欠駆動を行い、静止画データに所定の画像処理を施すことなくスライドショー再生する静止画再生処理部６２と、通常再生処理部６１および静止画再生処理部６２のいずれか一方により再生された静止画データを投写表示する投写表示部９０と、を備えた。【選択図】図２
2012034265.tif 000002
【特許請求の範囲】
【請求項１】
静止画データに所定の画像処理を施してスライドショー再生する通常再生処理部と、
前記静止画データに前記所定の画像処理を施すことなくスライドショー再生を間欠的に行う静止画再生処理部と、
前記通常再生処理部および前記静止画再生処理部のいずれか一方により再生された静止画データを表示する表示部と、を備えたことを特徴とする画像表示装置。
【請求項２】
前記静止画再生処理部により間欠的にスライドショー再生が行われる第１スタンバイモードと、パワーオン命令を待つ第２スタンバイモードと、のいずれかのスタンバイモードを選択するスタンバイモード選択部をさらに備え、
前記通常再生処理部は、前記パワーオン命令を取得した後の通常動作モードにおいて、スライドショー再生を行うことを特徴とする請求項１に記載の画像表示装置。
【請求項３】
前記通常再生処理部は、画像表示装置全体を統括制御するメイン制御部により制御され、
前記静止画再生処理部は、前記メイン制御部のスタンバイ状態を制御するスタンバイ制御部により制御されることを特徴とする請求項１または２に記載の画像表示装置。
【請求項４】
前記静止画再生処理部は、静止画処理を行う静止画処理ＩＣと、入力された前記静止画データを一時的に記憶する記憶部と、を含み、
前記スタンバイ制御部および前記静止画処理ＩＣは、所定時間経過ごとに駆動状態となって前記静止画データを入力すると共に、前記表示部への前記静止画データの出力後に非駆動状態となり、
前記表示部は、前記スタンバイ制御部および前記静止画処理ＩＣの非駆動時において、前記記憶部より前記静止画データを読み出して表示することを特徴とする請求項３に記載の画像表示装置。
【請求項５】
画像データが入力される画像データ入力部を複数備え、
前記静止画再生処理部は、前記複数の画像データ入力部うち、特定の画像データ入力部から入力された前記静止画データのみ再生可能であることを特徴とする請求項１ないし４のいずれか１項に記載の画像表示装置。
【請求項６】
前記複数の画像データ入力部うち、前記特定の画像データ入力部以外の他の画像データ入力部は、動画データを入力可能であり、
前記通常再生処理部は、前記動画データの再生が可能であることを特徴とする請求項５に記載の画像表示装置。
【請求項７】
前記表示部は、被写体に対して前記静止画データを投写表示する投写表示部であり、
前記所定の画像処理は、台形補正処理を含むことを特徴とする請求項１ないし６のいずれか１項に記載の画像表示装置。
【請求項８】
静止画データに所定の画像処理を施してスライドショー再生する通常再生処理部と、
前記静止画データに前記所定の画像処理を施すことなくスライドショー再生を間欠的に行う静止画再生処理部と、を備えた画像表示装置のスライドショー再生方法であって、
前記画像表示装置が、
前記通常再生処理部および前記静止画再生処理部のいずれか一方に、スライドショー再生を行わせることを特徴とする画像表示装置のスライドショー再生方法。
【発明の詳細な説明】
【技術分野】
【０００１】
１以上の静止画データを入力し、スライドショー再生を行う画像表示装置および画像表示装置のスライドショー再生方法に関するものである。
【背景技術】
【０００２】
従来、プロジェクター等の画像表示装置において、１以上の静止画データを予定された再生順序で逐次再生する、いわゆるスライドショー再生が知られている（例えば、特許文献１）。図１０は、一般的な画像表示装置の、スライドショー再生に関わる構成を示すブロック図である。同図に示すように、従来の画像表示装置は、画像入力端子１１１、レシーバー１１２（Ａ／Ｄコンバータ）、高画質化ＩＣ１１３、ＳｏＣ１１４（System-on-a-chip）、画像処理ＩＣ１１５ａ、ドライバーＣＰＵ１１６ａ、倍速駆動ＩＣ１１５ｂ、倍速用ＣＰＵ１１６ｂ、サブマイコン１１７、パネル駆動用ＩＣ１１８、パネル１１９（光変調素子）を備えている。ここで、ＳｏＣ１１４は、ＣＰＵ（Central  Processing  Unit）、ＲＯＭ（Read  Only  Memory）、ＲＡＭ（Random  Access  Memory）、通信用インターフェース、画像処理回路などをワンチップに集積した半導体回路である。また、ドライバーＣＰＵ１１６ａは、画像処理ＩＣ１１５ａの画像処理制御を行い、倍速用ＣＰＵ１１６ｂは、倍速駆動ＩＣ１１５ｂの駆動制御を行う。また、サブマイコン１１７は、スタンバイ制御を行うと共に外部装置からの信号入力を監視する。
【先行技術文献】
【特許文献】
【０００３】
【特許文献１】特開２００９−２８４０９８号公報
【発明の概要】
【発明が解決しようとする課題】
【０００４】
ところで、スライドショー再生では、任意のページを表示している間、常に同じ映像を表示し続けることになるため、上記のデバイスのうち殆どのデバイスが駆動を必要としない。ところが、従来の画像表示装置は、動画データ処理時であるか、静止画データ処理時であるかに拘らず、全てのデバイスを駆動させていた。したがって、店頭などで、広告または商品説明用のスライドショー再生を長時間に渡って繰り返し再生するような場合、無駄に電力を消費し、省エネの観点で好ましくないといった問題があった。近年、地球温暖化、環境問題がとりだたされている状況で、このような常時再生に抵抗のあるユーザーも少なくない。
【０００５】
そこで、低消費電力を実現すべく、ＳｏＣ１１４に静止画データを処理させ、そのままパネル駆動用ＩＣ１１８に映像を送る方法が考えられる。この方法であれば、ＳｏＣ１１４が間欠駆動することになるため、消費電力の大幅な軽減が期待できる。しかしながら、ＳｏＣ１１４に間欠駆動を行わせようとすると、ＳｏＣ１１４をリセットする度にシステムの起動に時間がかかり、処理遅延が発生してしまうといった問題が生じる。
【０００６】
本発明は、上記の問題点に鑑み、処理遅延がなく、且つ低消費電力にてスライドショー再生を実現可能な画像表示装置および画像表示装置のスライドショー再生方法を提供することを目的とする。
【課題を解決するための手段】
【０００７】
本発明の画像表示装置は、静止画データに所定の画像処理を施してスライドショー再生する通常再生処理部と、静止画データに所定の画像処理を施すことなくスライドショー再生を間欠的に行う静止画再生処理部と、通常再生処理部および静止画再生処理部のいずれか一方により再生された静止画データを表示する表示部と、を備えたことを特徴とする。
【０００８】
上記に記載の画像表示装置において、静止画再生処理部により間欠的にスライドショー再生が行われる第１スタンバイモードと、パワーオン命令を待つ第２スタンバイモードと、のいずれかのスタンバイモードを選択するスタンバイモード選択部をさらに備え、通常再生処理部は、パワーオン命令を取得した後の通常動作モードにおいて、スライドショー再生を行うことが好ましい。
【０００９】
本発明の画像表示装置のスライドショー再生方法において、静止画データに所定の画像処理を施してスライドショー再生する通常再生処理部と、静止画データに所定の画像処理を施すことなくスライドショー再生を間欠的に行う静止画再生処理部と、を備えた画像表示装置のスライドショー再生方法であって、画像表示装置が、通常再生処理部および静止画再生処理部のいずれか一方に、スライドショー再生を行わせることを特徴とする。
【００１０】
これらの構成によれば、通常再生処理部と、静止画再生処理部の２種類の再生処理部を備え、いずれか一方を選択的に動作させるため、間欠駆動を行う静止画再生処理部を選択することで、低消費電力を実現できる。また、静止画再生処理部は、通常再生処理部で処理される所定の画像処理を施さないため、通常再生処理部に比べて簡易な構成とすることができる。これにより、更なる消費電力の低減が期待できると共に処理遅延の問題を解消できる。一方、高画質な映像を希望するユーザーは、通常再生処理部を選択すれば良いため、高画質な映像と省エネのどちらを重視するかによって、ユーザーのニーズに沿った再生処理を行うことができる。
なお、静止画再生処理部の動作時は、通常再生処理部を非動作状態とすることが好ましい。これにより、通常再生処理部の消費電力をゼロとすることができるため、更に消費電力を軽減できる。
また、処理切替部が、通常再生処理部および静止画再生処理部のいずれに再生処理を行わせるかについては、スタンバイモード選択部による選択以外に、他の条件にしたがっても良い。例えば、静止画データの種類（ファイル形式）や、静止画データの入力先などによって、いずれかの再生処理部を選択的に動作させても良い。
【００１１】
上記に記載の画像表示装置において、通常再生処理部は、画像表示装置全体を統括制御するメイン制御部により制御され、静止画再生処理部は、メイン制御部のスタンバイ状態を制御するスタンバイ制御部により制御されることが好ましい。
【００１２】
この構成によれば、静止画再生処理部は、メイン制御部ではなく、メイン制御部のスタンバイ状態を制御するスタンバイ制御部により制御されるため、メイン制御部をリセットする度にシステムの起動に時間がかかり、処理遅延が発生してしまうといった問題を解消できる。
【００１３】
上記に記載の画像表示装置において、静止画再生処理部は、静止画処理を行う静止画処理ＩＣと、入力された静止画データを一時的に記憶する記憶部と、を含み、スタンバイ制御部および静止画処理ＩＣは、所定時間経過ごとに駆動状態となって静止画データを入力すると共に、表示部への静止画データの出力後に非駆動状態となり、表示部は、スタンバイ制御部および静止画処理ＩＣの非駆動時において、記憶部より静止画データを読み出して表示することが好ましい。
【００１４】
この構成によれば、従来の画像表示装置に、静止画処理ＩＣおよび記憶部を追加することで、静止画再生処理部を実現できる。また、静止画データの入出力時のみ、スタンバイ制御部および静止画処理ＩＣが駆動状態となり、他は記憶部から静止画データを読み出して表示するだけで良いため、スタンバイ制御部および静止画処理ＩＣの駆動時間を最大限短くすることができ、更なる低消費電力化が期待できる。
【００１５】
上記に記載の画像表示装置において、画像データが入力される画像データ入力部を複数備え、静止画再生処理部は、複数の画像データ入力部うち、特定の画像データ入力部から入力された静止画データのみ再生可能であることが好ましい。
【００１６】
この構成によれば、静止画再生処理部は、特定の画像データ入力部から入力された静止画データのみ再生可能であれば良いため、当該特定の画像データ入力部と、静止画処理ＩＣおよび記憶部を、新規追加デバイスとして追加することで、容易に本発明を実現できる。
なお、通常再生処理部は、複数の画像データ入力部の全てから入力された静止画データを再生可能であることが好ましい。これにより、種々の形式（例えば、ＲＧＢ信号やコンポジット信号など）の画像データに対応することができ、画像表示装置の汎用性を高めることができる。
【００１７】
上記に記載の画像表示装置において、複数の画像データ入力部うち、特定の画像データ入力部以外の他の画像データ入力部は、動画データを入力可能であり、通常再生処理部は、動画データの再生が可能であることが好ましい。
【００１８】
この構成によれば、通常再生処理部は、動画データを再生可能であるため、更に画像表示装置の汎用性を高めることができる。これに対し、静止画再生処理部は、静止画データのみ再生可能であれば良いため、より簡易な構成とすることができる。
【００１９】
上記に記載の画像表示装置において、表示部は、被写体に対して静止画データを投写表示する投写表示部であり、所定の画像処理は、台形補正処理を含むことが好ましい。
【００２０】
この構成によれば、プロジェクター（投写表示装置）に、本発明を適用することができる。
【図面の簡単な説明】
【００２１】
【図１】プロジェクターのデバイス構成を示すブロック図である。
【図２】プロジェクターの機能構成を示すブロック図である。
【図３】スタンバイモード設定処理を示すフローチャートである。
【図４】プロジェクター通常動作時における各デバイスの動作状態を示す図である。
【図５】スライドショースタンバイモード時における各デバイスの動作状態を示す図である。
【図６】プロジェクターの電源系を示す図である。
【図７】プロジェクター通常動作時およびスライドショースタンバイモード時における各電源系の消費電力を示す表である。
【図８】スライドショースタンバイモード時におけるスライドショー再生処理を示すフローチャートである。
【図９】スライドショースタンバイモード時における間欠駆動を示すタイミングチャートである。
【図１０】従来の画像表示装置のデバイス構成を示すブロック図である。
【発明を実施するための形態】
【００２２】
以下、添付した図面を参照して、本発明の一実施形態に係る画像表示装置および画像表示装置のスライドショー再生方法について説明する。本実施形態では、画像表示装置をプロジェクター１に適用した場合を例示する。図１は、プロジェクター１のデバイス構成を示すブロック図である。なお、同図において、太線矢印は、映像信号（画像データ）の流れを示し、細線矢印は、制御信号の流れを示している。
【００２３】
同図に示すように、プロジェクター１は、画像入力端子１１、レシーバー１２、高画質化ＩＣ１３、ＳｏＣ１４（メイン制御部）、画像処理ＩＣ・倍速駆動ＩＣ１５、ドライバーＣＰＵ・倍速用ＣＰＵ１６、スタンバイ制御マイコン１７（スタンバイ制御部）、パネル駆動用ＩＣ１８、パネル１９、リモコン・キースイッチ２１、外部制御用端子２２、静止画処理ＩＣ２５、記憶部２６、カードスロット・メモリースロット２７（以下、単に「スロット２７」と記載する）、光源ランプ２８および投写レンズ２９を備えている。
【００２４】
なお、上記の構成のうち、静止画処理ＩＣ２５、記憶部２６およびスロット２７は、本願発明（スライドショー再生時における間欠駆動）を実現するために新規追加されたデバイスである。また、パネル駆動用ＩＣ１８、パネル１９、光源ランプ２８および投写レンズ２９により、プロジェクター１の投写光学系（表示部）が構成される。
【００２５】
画像入力端子１１は、コンピューターやビデオプレーヤーなどの外部機器から、画像データ（ＲＧＢ信号やコンポジット信号など）を取得する。レシーバー１２は、入力された画像データを取得し、当該画像データがアナログ信号であった場合、Ａ／Ｄ変換を行う。高画質化ＩＣ１３は、色再現性向上（例えば、ＨＱＶ（Hollywood  Quality  Video））および解像度向上のためのデジタル処理を行う。なお、高画質化ＩＣ１３は、色再現性向上ＩＣと解像度向上ＩＣとの２チップ構成としても良い。
【００２６】
ＳｏＣ１４は、ＣＰＵ、ＲＯＭ、ＲＡＭ、通信用インターフェース、画像処理回路などをワンチップに集積した半導体回路であり、接続された各デバイスを初め、プロジェクター１全体を統括制御するメイン制御部である。なお、ＳｏＣ１４に含まれる画像処理回路では、リサイズ処理、色調整処理、信号変換処理（例えば、ＴＴＬ（Transistor-Transistor-Logic）からＬＶＤＳ（Low  voltage  differential  signaling）への信号変換など）および台形補正処理（スクリーンＳＣに対し、プロジェクター１が上下・左右方向において斜め方向から投写した場合に生じる、投写画像の台形歪みを補正する処理）を行う。その他、ＳｏＣ１４は、各種設定を行うためのＯＳＤ（On  Screen  Display）メニュー画面の表示制御も司る。ＯＳＤメニュー画面とは、リモコン・キースイッチ２１に設けられた「メニューキー」の押下によりスクリーンＳＣ上に投写されるカスタマイズ用の操作画面である。
【００２７】
画像処理ＩＣ・倍速駆動ＩＣ１５は、画像処理（画作り・色調整）および倍速処理（フレーム補完処理）を行う。なお、従来例（図１０）に示すように、それぞれ独立したＩＣにより構成されるが、本実施形態では、説明の便宜上まとめて表記する。また、ドライバーＣＰＵ・倍速用ＣＰＵ１６は、ＳｏＣ１４の制御の下、画像処理ＩＣ・倍速駆動ＩＣ１５の駆動制御を行うものであり、こちらも便宜上まとめて表記する。
【００２８】
リモコン・キースイッチ２１は、赤外線または無線通信によりプロジェクター１本体を遠隔制御するリモコンと、プロジェクター１本体に備え付けられた操作パネル上のキーと、を指す。ユーザーは、これらの操作手段を用いて各種設定・操作を行う。また、外部制御用端子２２は、コンピューターと、ＲＳ−２３２Ｃ等のシリアル通信に用いられる端子である。当該外部制御用端子２２は、故障時の原因究明、開発過程におけるデバッグ、アフターサービス等において、コンピューターから所定のコマンドを入力するために用いられる。
【００２９】
スタンバイ制御マイコン１７は、ＳｏＣ１４のスタンバイ状態を制御すると共に、リモコン・キースイッチ２１および外部制御用端子２２からの信号入力監視を行う。スタンバイ制御マイコン１７は、低周波数で駆動するエコ状態と、高周波数で駆動する通常状態、の２つの動作状態（モード）を有している。エコ状態とは、リモコン・キースイッチ２１の操作信号など外部割り込みを処理するモードであり、通常状態とは、静止画処理ＩＣ２５など各デバイスのリセット制御や通信を行うモードである。スタンバイ制御マイコン１７の状態遷移については、図８にて後述する。
【００３０】
また、スタンバイ制御マイコン１７は、リモコン・キースイッチ２１により、ＯＳＤメニュー画面の操作命令が行われた場合、その操作信号をＳｏＣ１４に出力する。また、本実施形態のプロジェクター１は、スタンバイモードの選択が可能となっており、スタンバイ制御マイコン１７は、リモコン・キースイッチ２１によりスタンバイモードの切替操作が行われた場合、当該操作に基づいて、スタンバイ制御マイコン１７内に設けられた不図示のＲＯＭ内のデータを書き換える。なお、「スタンバイモード」としては、電源スイッチ（図示省略）の操作によるパワーオン命令を待つ「通常スタンバイモード（第２スタンバイモード）」と、スタンバイ制御マイコン１７を中心とした間欠駆動によりスライドショーの再生処理が行われる「スライドショースタンバイモード（第１スタンバイモード）」と、のいずれかを選択可能となっている。スタンバイモードの設定については、図３にて後述する。なお、「スタンバイモード」においてパワーオン命令を取得すると通常動作状態（以下、「プロジェクター通常動作」とも称する）となる。当該プロジェクター通常動作は、静止画および動画の投写が可能な動作状態である。また、当該プロジェクター通常動作時においてスライドショーの再生処理を行う場合は、ＳｏＣ１４を中心とした駆動処理となる。
【００３１】
パネル駆動用ＩＣ１８は、パネル１９を駆動する。パネル１９としては、例えば液晶ライトバルブを用いても良い。液晶ライトバルブは、一対の透明基板間に液晶が封入された液晶パネルであり、各透明基板の内面に、液晶に対して微小領域毎に駆動電圧を印加可能な透明電極が、画素としてマトリクス状に形成されている。パネル駆動用ＩＣ１８は、液晶ライトバルブの各画素に、画像データに応じた駆動電圧を印加することにより、各画素の光透過率を設定する。一方、光源ランプ２８としては、ハロゲンランプ、メタルハライドランプまたは高圧水銀ランプを適用可能である。また、光源ランプ２８に代えて、レーザーやＬＥＤなどの固体光源を用いても良い。これらの構成により、投写光学系では、光源ランプ２８から射出された照明光が、パネル１９を透過することによって変調される。また、変調された画像光は、不図示の光合成光学系（ダイクロイックプリズムなど）により画素毎に合成され、投写レンズ２９によってスクリーンＳＣ上に投写される。
【００３２】
スロット２７は、ＳＤメモリーカード、ＵＳＢフラッシュ、コンパクトフラッシュ（登録商標）などの外部記憶媒体が挿入される差込口である。これらの外部記憶媒体には、スライドショー再生を行うための１以上の静止画データが記録されているものとする。記憶部２６は、静止画データを一時的に記憶しておくためのメモリーであり、静止画処理ＩＣ２５により読み書きが行われる。
【００３３】
静止画処理ＩＣ２５は、上記のスライドショースタンバイモード時において、スロット２７に挿入された外部記憶媒体から読み出した１以上の静止画データに基づき、スライドショー再生を行う。具体的に、静止画処理ＩＣ２５は、ＪＰＥＧデータを、ＲＧＢデータまたはＹＵＶデータに変換する復号化処理やリサイズ処理を行い、処理後の静止画データを逐次パネル駆動用ＩＣ１８に出力すると共に記憶部２６に記録する。また、スライドショー再生時において、静止画処理ＩＣ２５は、スタンバイ制御マイコン１７の指令に基づき、間欠駆動を行う。なお、スタンバイ制御マイコン１７とは、ＵＡＲＴ（Universal  Asynchronous  Receiver  Transmitter）、ＩＩＣ（Inter-Integrated  Circuit）、ＵＳＢ（Universal  Serial  Bus）等のシリアル通信方式により通信を行う。
【００３４】
このように本実施形態のプロジェクター１は、スライドショースタンバイモード時に再生処理を行うためのデバイス（静止画処理ＩＣ２５、記憶部２６およびスロット２７）を新規追加し、さらにスタンバイ制御マイコン１７および静止画処理ＩＣ２５の間欠駆動を行うことで、スライドショー再生の低消費電力化を図っている。間欠駆動については、図８および図９にて後述する。
【００３５】
次に、図２を参照し、プロジェクター１の機能構成について説明する。プロジェクター１は、主な機能構成として、画像データ入力部５０、再生処理部６０、スタンバイモード選択部７０、処理切替部８０および投写表示部９０を備えている。
【００３６】
画像データ入力部５０は、第１画像データ入力部５１と、第２画像データ入力部５２（特定の画像データ入力部）と、を有する。第１画像データ入力部５１は、プロジェクター通常動作時においてスライドショー再生するための１以上の静止画データ、または動画データを入力する。また、第２画像データ入力部５２は、スライドショースタンバイモード時においてスライドショー再生するための１以上の静止画データを入力する。なお、第１画像データ入力部５１は、画像入力端子１１を主要部とし、第２画像データ入力部５２はスロット２７を主要部とする。
【００３７】
再生処理部６０は、通常再生処理部６１と、静止画再生処理部６２と、を有する。通常再生処理部６１は、プロジェクター通常動作時において、第１画像データ入力部５１および第２画像データ入力部５２のいずれかから入力された画像データ（静止画データまたは動画データ）の再生処理を行う。また、色再現性向上処理、解像度向上処理、台形補正処理、色調整処理、倍速処理など、種々の画像処理を施す。なお、通常再生処理部６１は、高画質化ＩＣ１３、ＳｏＣ１４、画像処理ＩＣ・倍速駆動ＩＣ１５およびドライバーＣＰＵ・倍速用ＣＰＵ１６を主要部とする。
【００３８】
一方、静止画再生処理部６２は、スライドショースタンバイモード時において、第２画像データ入力部５２から静止画データが入力された場合、つまり静止画データが記録された外部記憶媒体を検出した場合、当該静止画データに基づいてスライドショー再生処理を行う。なお、上記の通り、プロジェクター通常動作時において、第２画像データ入力部５２から動画データが入力された場合は、通常再生処理部６１により再生処理が行われる。また、静止画再生処理部６２は、静止画データの入力時のみ駆動する間欠駆動を行う。さらに、入力された静止画データに対して、上記の通常再生処理部６１にて処理される画像処理（色再現性向上処理、解像度向上処理、台形補正処理、色調整処理、倍速処理など）は施さず、復号化処理およびリサイズ処理などの簡単な処理のみを行う。なお、静止画再生処理部６２は、スタンバイ制御マイコン１７、静止画処理ＩＣ２５および記憶部２６を主要部とする。
【００３９】
スタンバイモード選択部７０は、パワーオン命令を待つ通常スタンバイモードと、通常再生処理部６１を非動作状態として静止画再生処理部６２により再生処理が行われるスライドショースタンバイモードと、のいずれかのスタンバイモードを選択する。スタンバイモード選択部７０は、リモコン・キースイッチ２１を主要部とする。
【００４０】
処理切替部８０は、スタンバイモード選択部７０の選択結果に応じて、通常再生処理部６１および静止画再生処理部６２のいずれか一方に再生処理を行わせる。処理切替部８０は、スタンバイ制御マイコン１７を主要部とする。
【００４１】
投写表示部９０は、通常再生処理部６１および静止画再生処理部６２のいずれか一方により再生された画像データ（静止画データまたは動画データ）を、スクリーンＳＣに投写表示する。投写表示部９０は、投写表示系を主要部とする。
【００４２】
次に、図３のフローチャートを参照し、スタンバイモード設定処理について説明する。プロジェクター１（スタンバイ制御マイコン１７）は、ＡＣ電源がＯＮ状態になると（プロジェクター１の電源ケーブルがコンセントに接続されると，Ｓ０１）、スタンバイ制御マイコン１７のＲＯＭを参照し、スタンバイモードを判別する（Ｓ０２）。ここで、ＲＯＭの内容が「通常スタンバイモード」であった場合は、通常スタンバイモードに設定し（Ｓ０３）、「スライドショースタンバイモード」であった場合は、スライドショースタンバイモードに設定する（Ｓ０４）。
【００４３】
その後、リモコン・キースイッチ２１の操作によりパワーオン命令を取得すると（プロジェクター１の電源スイッチの状態が変化すると）、プロジェクター通常動作状態となる（Ｓ０５）。このプロジェクター通常動作状態において、リモコン・キースイッチ２１の操作により外部割り込みが発生し、当該外部割り込みがパワーオフ命令であった場合は（Ｓ０６：パワーオフ命令）、Ｓ０２に戻り、スタンバイ制御マイコン１７のＲＯＭ内容に応じたスタンバイ状態となる。また、外部割り込みが、ＯＳＤメニュー画面の表示に関する命令であった場合は（Ｓ０６：メニュー命令）、ＯＳＤメニュー画面によりスタンバイモードの選択（変更）が行われたか否かを判別する（Ｓ０７）。ここで、スタンバイモードの変更がなかった場合は（Ｓ０７：モード変更なし）、スタンバイ制御マイコン１７のＲＯＭ内容を変更することなく（Ｓ０８）、Ｓ０５に戻る。また、スタンバイモードの変更があった場合は（Ｓ０７：モード変更あり）、スタンバイ制御マイコン１７のＲＯＭ内容を書き換えて（Ｓ０９）、Ｓ０５に戻る。このように、電源ケーブルを接続した直後のプロジェクター動作モードは、ＯＳＤメニュー画面によるスタンバイモードの設定に従う。なお、初期設定（工場出荷時における設定）は、「通常スタンバイモード」である。
【００４４】
次に、図４および図５を参照し、プロジェクター通常動作時およびスライドショースタンバイモード時における各デバイスの動作状態について説明する。なお、両図において、実線の枠は、動作状態のデバイスであることを示し、点線の枠は、非動作状態のデバイスであることを示す。また、実線の矢印は、信号が流れていることを示し、点線の矢印は、信号が流れていないことを示す。また、両図共に、投写光学系の一部を省略して図示しているが、投写光学系は、スタンバイモードに関わらず、常に動作状態となっている。
【００４５】
図４に示すように、プロジェクター通常動作時は、全てのデバイスが動作状態となっている。この場合、静止画処理ＩＣ２５は、スロット２７から入力された画像データを、一旦記憶部２６に格納し、高画質化ＩＣ１３に出力する処理を行っている。したがって、静止画処理ＩＣ２５がパネル駆動用ＩＣ１８に画像データを出力することはなく、パネル駆動用ＩＣ１８が、記憶部２６から画像データを読み出すこともない。また、スタンバイ制御マイコン１７は、プロジェクター通常動作時において、特にデバイス制御は行わず、リモコン・キースイッチ２１の動作処理およびＳｏＣ１４の監視を行う。つまり、スタンバイ制御マイコン１７は、通常再生処理部６１の制御には関わらない。
【００４６】
一方、図５は、スライドショースタンバイモード時における各デバイスの動作状態を示す図である。この場合、点線で示す各デバイス（画像入力端子１１、レシーバー１２、高画質化ＩＣ１３、ＳｏＣ１４、画像処理ＩＣ・倍速駆動ＩＣ１５およびドライバーＣＰＵ・倍速用ＣＰＵ１６）は非動作状態となり、実線で示すスタンバイ制御マイコン１７、パネル駆動用ＩＣ１８、パネル１９、リモコン・キースイッチ２１、外部制御用端子２２、静止画処理ＩＣ２５、記憶部２６およびスロット２７のみが動作状態となっている。スライドショースタンバイモード時は、スタンバイ制御マイコン１７が、ＳｏＣ１４に対し、電源系（メインＡ電圧３２およびメインＢ電圧３３，図６参照）への電源供給を行わないように命令することで、各デバイスが非動作状態となる。
【００４７】
次に、図６および図７を参照し、プロジェクター１の電源系３１〜３４と、プロジェクター通常動作時およびスライドショースタンバイモード時における消費電力の違いについて説明する。図６に示すように、本実施形態のプロジェクター１は、４つの電源系３１〜３４を備えている。まず、第１の電源系であるスタンバイ用電圧３１は、スタンバイ制御マイコン１７および静止画処理ＩＣ２５に電源供給を行っている。また、第２の電源系であるメインＡ電圧３２は、レシーバー１２、高画質化ＩＣ１３およびＳｏＣ１４に電源供給を行っている。また、第３の電源系であるメインＢ電圧３３は、画像処理ＩＣ・倍速駆動ＩＣ１５およびドライバーＣＰＵ・倍速用ＣＰＵ１６に電源供給を行っている。また、第４の電源系であるメインＣ電圧３４は、パネル駆動用ＩＣ１８およびパネル１９の他、不図示のランプ冷却用ＦＡＮなどに電源供給を行っている。
【００４８】
なお、冷却用ＦＡＮとしては、ランプ冷却用ＦＡＮ以外に、パネル冷却用ＦＡＮおよび電源冷却用ＦＡＮを備えているが（いずれも図示省略）、プロジェクター通常動作時だけでなく、スライドショースタンバイモード時においても、これらのＦＡＮを動作させることが好ましい。但し、電源冷却用ＦＡＮについては、プロジェクター通常動作時に比べてスライドショースタンバイモード時の回転数を少なくするなど、無駄な冷却を防止することが好ましい。
【００４９】
図７は、上記の各電源系３１〜３４の、プロジェクター通常動作時およびスライドショースタンバイモード時における消費電力の概算結果を示す表である。同図に示すように、プロジェクター通常動作時は、全てのデバイスが動作しているため、電源系３１〜３４の合計で６９．１７〔Ｗ〕の電力を消費しているものの、スライドショースタンバイモード時は、８．０７〔Ｗ〕の電力消費となり、１／８〜１／９程度の大幅な低消費電力化を見込むことができる。これは、スライドショースタンバイモード時において、一部（スタンバイ制御マイコン１７および静止画処理ＩＣ２５など）しか動作していないため、メインＡ電圧３２およびメインＢ電圧３３の消費電力を「０（ゼロ）」とすることができること、並びにスタンバイ制御マイコン１７および静止画処理ＩＣ２５の間欠駆動により、スタンバイ用電圧３１が、プロジェクター通常動作時に比べて１／２０以上の低消費電力化を実現できること、の２つの要因に依るものである。
【００５０】
次に、図８のフローチャートを参照し、スライドショースタンバイモード時におけるスライドショー再生処理について説明する。スライドショースタンバイモード時において、スタンバイ制御マイコン１７は、エコ状態で待機し（Ｓ１１）、スライドショーの表示時間間隔に相当する所定時間が経過したか否かを判別する（Ｓ１２）。ここで、所定時間が経過していない場合は（Ｓ１２：Ｎｏ）、リモコン・キースイッチ２１からの（ユーザーからの）画像切替命令があったか否かを判別し（Ｓ１３）、画像切替命令がなかった場合は（Ｓ１３：Ｎｏ）、Ｓ１１に戻り待機を続ける。
【００５１】
一方、所定時間が経過した場合（Ｓ１２：Ｙｅｓ）、または画像切替命令があった場合（Ｓ１３：Ｙｅｓ）、スタンバイ制御マイコン１７は、通常状態に移行し（Ｓ１４）、静止画処理ＩＣ２５を復帰させる（Ｓ１５）。静止画処理ＩＣ２５は、復帰後、スロット２７から静止画データを入力し、復号化処理およびリサイズ処理を施した後、パネル駆動用ＩＣ１８に静止画データを出力する。その後、スタンバイ制御マイコン１７は、静止画処理ＩＣ２５を停止させ（Ｓ１６）、再びエコ状態に移行し（Ｓ１７）、Ｓ１１に戻って待機を続ける。
【００５２】
次に、図９を参照し、図８のフローチャートに対応する、スタンバイ制御マイコン１７および静止画処理ＩＣ２５の間欠駆動について説明する。同図は、間欠駆動時のイメージを示すタイミングチャートである。同図に示すように、スタンバイ制御マイコン１７の復帰（Ｓ１４）、および静止画処理ＩＣ２５の復帰（Ｓ１５）に伴って電流波形が立ち上がり、静止画処理ＩＣ２５による静止画データの入出力が完了するまで（Ｓ１５）、駆動状態となる。また、静止画処理ＩＣ２５の停止（Ｓ１６）、およびスタンバイ制御マイコン１７の停止後（エコ状態遷移後，Ｓ１７）は、非駆動状態となる。このように、スライドショースタンバイモード時においては、スタンバイ制御マイコン１７および静止画処理ＩＣ２５が、静止画データの入出力時のみ駆動する間欠駆動を行うことにより、駆動時間が大幅に短縮され、その分消費電力を低減できる。なお、電流波形が「０〔Ａ〕」を示している間は、記憶部２６から直接、パネル駆動用ＩＣ１８に静止画データが出力される。
【００５３】
以上説明したとおり、本実施形態に係るプロジェクター１によれば、新規追加デバイス（図１参照）の追加により、通常再生処理部６１を動作させることなく間欠駆動によってスライドショー再生が可能な静止画再生処理部６２を実現したため、大幅な低消費電力化を図ることができる。これにより、省エネを実現でき、店舗等で、長時間に渡って繰り返しスライドショー再生を行うような用途に対するユーザーの抵抗を緩和できる。
【００５４】
また、ユーザーの操作により、通常の画像処理を施す通常再生処理部６１を選択することも可能であるため、高画質な映像と省エネのどちらを重視するかによって、ユーザーのニーズに沿った再生処理を行うことができる。
【００５５】
また、静止画再生処理部６２は、ＳｏＣ１４ではなくスタンバイ制御マイコン１７により制御されるため、ＳｏＣ１４をリセットする度にシステムの起動に時間がかかるといった処理遅延の問題を解消できる。
【００５６】
なお、上記の実施形態では、スタンバイモード選択部７０の選択結果に応じて、スタンバイモードの設定を行ったが、静止画データの種類や、静止画データの入力先などによって、いずれかの再生処理部６１，６２を選択的に動作させても良い。例えば、第２画像データ入力部５２から入力された（スロット２７から読み出した）静止画データが所定のファイル形式であった場合、スタンバイモードの設定に拘らず、通常再生処理部６１より再生処理を行っても良い。また、プロジェクター通常動作時であっても、第２画像データ入力部５２から静止画データが入力された場合は、「スライドショースタンバイモード」に切り換えて、静止画再生処理部６２より再生処理を行っても良い。
【００５７】
また、上記の実施形態では、「スライドショースタンバイモード」に設定されている場合、第１画像データ入力部５１（画像入力端子１１）は非動作状態となり、画像データの入力はできないものとしたが、「スライドショースタンバイモード」時であっても、第１画像データ入力部５１から画像データが入力されたことを検出した場合は、これをパワーオン命令と同様の扱いとしてプロジェクター通常動作に切り換え、通常再生処理部６１により再生処理を行い得るようにしても良い。
【００５８】
また、上記の実施形態では、スロット２７（ＳＤメモリーカード等を読み取るためのインターフェース）を１つのみ備える構成としたが、複数であっても構わない。また、画像入力端子１１についても、複数備えても良い。さらに、第１画像データ入力部５１として、画像入力端子１１以外に、各種外部記憶媒体を読み取るためのインターフェース（カードスロットなど）を追加しても良い。
【００５９】
また、上記の実施形態では、静止画再生処理部６２を、スタンバイ制御マイコン１７により制御したが、静止画処理ＩＣ２５のみで静止画再生処理部６２を機能させても良い。すなわち、スタンバイ制御マイコン１７の機能を静止画処理ＩＣ２５に持たせても良い。
【００６０】
また、上記の実施形態に示したプロジェクター１の各構成要素をプログラムとして提供することが可能である。また、そのプログラムを各種記録媒体（ＣＤ−ＲＯＭ、フラッシュメモリー等）に格納して提供することも可能である。すなわち、コンピューターをプロジェクター１の各構成要素として機能させるためのプログラム、およびそれを記録した記録媒体も、本発明の権利範囲に含まれるものである。
【００６１】
また、上記の実施形態では、プロジェクター１の表示方式として、透過型液晶表示方式を採用しているが、反射型液晶表示方式、ＣＲＴ表示方式やライトスイッチ表示方式（マイクロミラーデバイス方式）など、プロジェクター１の表示原理は問わない。また、プロジェクター１以外にも、透過型のスクリーンを一体的に備えたリアプロジェクター、ＣＲＴ（Cathode  Ray  Tube）ディスプレイ、液晶ディスプレイ、プラズマディスプレイ、ＳＥＤ（Surface-conduction  Electron-emitter  Display）、有機ＥＬ（Electro-Luminescence）ディスプレイなどの画像表示装置に本発明を適用しても良い。その他、本発明の要旨を逸脱しない範囲で、適宜変更が可能である。
【符号の説明】
【００６２】
１…プロジェクター  １１…画像入力端子  １２…レシーバー  １３…高画質化ＩＣ  １４…ＳｏＣ  １５…画像処理ＩＣ・倍速駆動ＩＣ  １６…ドライバーＣＰＵ・倍速用ＣＰＵ  １７…スタンバイ制御マイコン  １８…パネル駆動用ＩＣ  １９…パネル  ２１…リモコン・キースイッチ  ２２…外部制御用端子  ２５…静止画処理ＩＣ  ２６…記憶部  ２７…スロット  ２８…光源ランプ  ２９…投写レンズ  ５０…画像データ入力部  ５１…第１画像データ入力部  ５２…第２画像データ入力部  ６０…再生処理部  ６１…通常再生処理部  ６２…静止画再生処理部  ７０…スタンバイモード選択部  ８０…処理切替部  ９０…投写表示部  ＳＣ…スクリーン
【図１】
2012034265.tif 000003
【図２】
2012034265.tif 000004
【図３】
2012034265.tif 000005
【図４】
2012034265.tif 000006
【図５】
2012034265.tif 000007
【図６】
2012034265.tif 000008
【図７】
2012034265.tif 000009
【図８】
2012034265.tif 000010
【図９】
2012034265.tif 000011
【図１０】
2012034265.tif 000012